(57)【要約】【課題】ピット進行方向に対して先行側の再生信号と後行側の再生信号の位相差に基づくＲＦ和信号の時間分解能低下を抑制する。【解決手段】光ピックアップ１０の４分割フォトディテクタからの先行側再生信号（信号Ａ＋信号Ｄ）と後行側再生信号（信号Ｂ＋信号Ｃ）はそれぞれＡ／Ｄ１２及びＡ／Ｄ１４に供給される。Ａ／Ｄ１２は第１ＣＬＫに基づきサンプリングし、Ａ／Ｄ１４は第２ＣＬＫに基づきサンプリングする。第１ＣＬＫと第２ＣＬＫは互いに位相がずれており、これらのクロック信号の位相ずれにより先行側再生信号と後行側再生信号の位相ずれを補償する。第１ＣＬＫと第２ＣＬＫの位相ずれは、ジッタあるいはエラーレート等の再生信号品質が最良となるように調整される。【選択図】図１
2007122776.tif 000002
【特許請求の範囲】
【請求項１】
少なくとも光ディスクのトラック方向に２分割され、分割された各要素で前記光ディスクからの反射光を光電変換してそれぞれ第１再生ＲＦ信号及び第２再生ＲＦ信号を出力する受光手段と、
前記第１再生ＲＦ信号をデジタル信号に変換して第１デジタル信号を出力する第１アナログデジタル変換手段と、
前記第２再生ＲＦ信号をデジタル信号に変換して第２デジタル信号を出力する第２アナログデジタル変換手段と、
前記第１デジタル信号と前記第２デジタル信号を加算して出力する加算手段と、
前記第１アナログデジタル変換手段に変換タイミングを指示する第１クロック信号を供給する第１クロック供給手段と、
前記第２アナログデジタル変換手段に変換タイミングを指示する第２クロック信号を供給する第２クロック供給手段と、
前記第１クロック信号と前記第２クロック信号の位相差を調整することで前記第１再生ＲＦ信号と前記第２再生ＲＦ信号の位相差を補償する調整手段と、
を有することを特徴とする光ディスク装置。
【請求項２】
請求項１記載の装置において、さらに、
前記加算手段に加算タイミングを指示する第３クロック信号を供給する第３クロック供給手段と、
を有し、前記調整手段は、前記第１クロック信号と前記第２クロック信号の位相差を調整するとともに前記第３クロック信号の位相を調整することを特徴とする光ディスク装置。
【請求項３】
請求項１記載の装置において、
前記第２クロック供給手段は、前記第２クロック信号として、前記第１クロック信号に対して互いに位相差の異なる複数のクロック信号を供給し、
前記調整手段は、前記複数のクロック信号のそれぞれを供給した場合に得られる再生信号品質を検出し、検出した再生信号品質が最も良いクロック信号を選択することで前記第１クロック信号と前記第２クロック信号の位相差を調整することを特徴とする光ディスク装置。
【請求項４】
請求項３記載の装置において、
前記第２クロック供給手段は、互いに位相差の異なる複数のクロック信号として、前記第１クロック信号よりも位相の遅れたクロック信号及び前記第１クロック信号よりも位相の進んだクロック信号を供給することを特徴とする光ディスク装置。
【請求項５】
請求項２記載の装置において、さらに、
前記加算手段からの信号に同期したクロック信号を生成するＰＬＬ回路と、
を有し、前記第１クロック供給手段と前記第２クロック供給手段と前記第３クロック供給手段は、いずれも前記ＰＬＬ回路からのクロック信号に同期して前記第１クロック信号、前記第２クロック信号及び前記第３クロック信号を生成することを特徴とする光ディスク装置。
【請求項６】
請求項１記載の装置において、さらに、
光ディスクの種類を読み取るディスク情報取得手段と、
予め光ディスクの種類毎に前記第１クロック信号に対する前記第２クロック信号の最適位相差を記憶する記憶手段と、
を有し、前記調整手段は、前記ディスク情報取得手段で読み取った光ディスクの種類に応じた最適の位相差を前記記憶手段から読み出して前記第２クロック信号の位相を調整することを特徴とする光ディスク装置。
【請求項７】
請求項６記載の装置において、
前記記憶手段は、予め光ディスクの種類毎かつ再生速度毎に前記第１クロック信号に対する前記第２クロック信号の最適位相差を記憶し、
前記調整手段は、前記ディスク情報取得手段で読み取った光ディスクの種類、かつ、データ再生時の再生速度に応じた最適の位相差を前記記憶手段から読み出して前記第２クロック信号の位相を調整することを特徴とする光ディスク装置。
【発明の詳細な説明】
【技術分野】
【０００１】
本発明は光ディスク装置、特に分割フォトディテクタから出力される再生信号の処理に関する。
【背景技術】
【０００２】
従来より、光ディスク装置では、光ピックアップのレーザダイオードから再生パワーのレーザ光を光ディスクに照射し、その反射光を光ピックアップの４分割フォトディテクタで光電変換し、４分割フォトディテクタのそれぞれのフォトディテクタの出力信号を加算することで再生ＲＦ信号を得ている。
【０００３】
ところが、再生パワーのレーザ光が光ディスク上のピットを通過する際に、ピット反射光から得られる４分割フォトディテクタの各出力信号にはピット進行方向の先行側、後行側に位相差が生じる場合がある。この位相差は、光ディスク上のピット深さによる回折や、ピックアップ光学系などに起因し、光ディスク装置、光ディスクの種類、再生速度等に応じて変化する。光ディスクの種類に関して言えば、総じて、ＣＤ／ＤＶＤ−ＲＯＭでは後行側の信号が先行側の信号に対して位相が遅れ、ＣＤ／ＤＶＤ−ＲＷでは後行側の信号が先行側の信号に対して位相が進み、ＣＤ／ＤＶＤ−Ｒでは位相差はほとんどない傾向にある。
【０００４】
図４に、光ディスク装置の再生系の構成を示し、図５に、各信号の位相を示す。図４において、光ディスク５のトラックにはピット６が形成され、光ディスク５に対して再生パワーのレーザ光１００を照射しその反射光を４分割フォトディテクタ１０ａで検出する。４分割フォトディテクタ１０ａはフォトディテクタＡ〜フォトディテクタＤの４つのフォトディテクタに分割されており、フォトディテクタＡ及びＢは光ディスク５の内周側、フォトディテクタＣ及びＤは光ディスク５の外周側に位置する。また、フォトディテクタＡ及びＤと、フォトディテクタＢ及びＣは光ディスク５のトラック方向に対して分割され、光ディスク５の回転に伴ってピット６が図中右方向から光方向に移動するものとすると、フォトディテクタＡ及びＤは先行側に位置するフォトディテクタ群であり、フォトディテクタＢ及びＣは後行側に位置するフォトディテクタ群である。フォトディテクタＡからの信号Ａ、フォトディテクタＢからの信号Ｂ、フォトディテクタＣからの信号Ｃ及びフォトディテクタＤからの信号Ｄは加算器１６に供給され、全ての信号が加算されて再生ＲＦ信号（信号Ａ＋信号Ｂ＋信号Ｃ＋信号Ｄ）が出力される。再生ＲＦ信号はデコーダに供給されて復調される。
【０００５】
信号Ａと信号Ｄは先行側の信号、信号Ｂと信号Ｃは後行側の信号であり、光ディスク５の種類やピット深さによる回折等に起因して、後行側の信号が先行側の信号に対して位相差が生じる場合があり、図５では後行側が先行側に対して位相遅れが生じる場合を示す。すなわち、後行側の信号Ｂ＋Ｃは先行側の信号Ａ＋Ｄに対して時間ｔだけ位相遅れが生じている。
【０００６】
このように位相遅れが生じると、これらの和信号である再生ＲＦ信号の分解能が低下し、復調時のジッタの増加や再生信号品質の劣化を引き起こす。
【０００７】
下記の特許文献には、光学ヘッドの周波数特性に起因する再生信号の波形歪みの低減を図るために、光ディスクからの反射光を受光するための少なくとも一対の光検知器を光ディスクの情報トラックの方向に対応させて配置するとともに、一対の光検知器の一方の出力段に光検知器出力の高域での位相を進める進相手段を設け、この進相手段の出力と一対の光検出器の他方の出力とを加算することが開示されている。
【０００８】
【特許文献１】特開平７−９８９３８号公報
【発明の開示】
【発明が解決しようとする課題】
【０００９】
しかしながら、上記のとおり位相差は光ディスク装置や光ディスクの種類、再生速度などに応じて種々に変化し得るため、進相手段によりアナログ的に位相を進めるあるいは遅らせることでは位相差を補償しきれず、再生信号品質を十分改善することができない。
【００１０】
本発明は、光ディスクの種類などに応じて種々変化する先行側と後行側の信号の位相差を確実に補償し、再生和信号の分解能低下を抑制してこれにより再生信号品質を向上できる装置を提供することにある。
【課題を解決するための手段】
【００１１】
本発明は、少なくとも光ディスクのトラック方向に２分割され、分割された各要素で前記光ディスクからの反射光を光電変換してそれぞれ第１再生ＲＦ信号及び第２再生ＲＦ信号を出力する受光手段と、前記第１再生ＲＦ信号をデジタル信号に変換して第１デジタル信号を出力する第１アナログデジタル変換手段と、前記第２再生ＲＦ信号をデジタル信号に変換して第２デジタル信号を出力する第２アナログデジタル変換手段と、前記第１デジタル信号と前記第２デジタル信号を加算して出力する加算手段と、前記第１アナログデジタル変換手段に変換タイミングを指示する第１クロック信号を供給する第１クロック供給手段と、前記第２アナログデジタル変換手段に変換タイミングを指示する第２クロック信号を供給する第２クロック供給手段と、前記第１クロック信号と前記第２クロック信号の位相差を調整することで前記第１再生ＲＦ信号と前記第２再生ＲＦ信号の位相差を補償する調整手段とを有することを特徴とする。
【発明の効果】
【００１２】
本発明によれば、アナログデジタル変換手段（Ａ／Ｄ）での変換タイミングを指示する２つのクロック信号の位相差を調整することで第１再生ＲＦ信号と第２再生ＲＦ信号の位相差を補償することができる。本発明では、変換タイミング、つまりサンプリングタイミングを調整することで位相差を補償するため、光ディスクの種類や再生速度に応じて第１再生ＲＦ信号と第２再生ＲＦ信号の位相差が種々変化しても、それに応じてクロック信号の位相差を適応的に調整して再生和信号の分解能低下を抑制し、再生信号品質を確保できる。
【発明を実施するための最良の形態】
【００１３】
以下、図面に基づき本発明の実施形態について説明する。
【００１４】
図１に、本実施形態における光ディスク装置の概念構成を示す。なお、光ディスク装置は大別してデータを記録するための記録系と光ディスクに記録されたデータを再生するための再生系を有するが、記録系については周知の構成と同様であるため再生系のみについて示している。
【００１５】
光ピックアップ１０は光ディスクにレーザ光を照射するための光源やレンズの他、光ディスクからの反射光を光電変換してＲＦ信号として出力する４分割フォトディテクタを含む。データ再生時には光源から再生パワーのレーザ光を照射し、４分割フォトディテクタの各ディテクタはその反射光を受光してＲＦ信号として出力する。４分割フォトディテクタが図４に示すようにディテクタＡ〜Ｄから構成され、ディテクタＡ及びＤが先行側、ディテクタＢ及びＣが後行側に配置しているものとし、フィトディテクタＡから信号Ａ、フォトディテクタＢから信号Ｂ、フォトディテクタＣから信号Ｃ、フォトディテクタＤから信号Ｄが出力される。先行側のフォトディテクタＡ及びＤからの信号Ａ及び信号Ｄの和信号Ａ＋Ｄはアナログデジタル変換器（Ａ／Ｄ）１２に供給され、フォトディテクタＢ及びＣからの信号Ｂ及び信号Ｃの和信号Ｂ＋Ｃはアナログデジタル変換器（Ａ／Ｄ）１４に供給される。
【００１６】
Ａ／Ｄ１２及びＡ／Ｄ１４は、それぞれ入力アナログ信号をデジタル信号に変換する。デジタル変換のタイミング、すなわちサンプリングタイミングは第１クロック信号（第１ＣＬＫ）及び第２クロック信号（第２ＣＬＫ）により制御される。すなわち、Ａ／Ｄ１２は第１ＣＬＫに基づいて信号Ａ＋信号Ｄをデジタル信号に変換し、Ａ／Ｄ１４は第２ＣＬＫ信号に基づいて信号Ｂ＋信号Ｃをデジタル信号に変換する。第１ＣＬＫと第２ＣＬＫは互いに位相がシフトしており、これによりＡ／Ｄ１２とＡ／Ｄ１４でのサンプリングタイミングは異なるものとなる。第１ＣＬＫと第２ＣＬＫの位相差は、先行側の信号である信号Ａ＋信号Ｄと、後行側の信号である信号Ｂ＋Ｃの位相差に応じて調整される。後行側の信号である信号Ｂ＋信号Ｃが先行側の信号である信号Ａ＋信号Ｄに対して遅れている場合には、その遅れ分だけ第２ＣＬＫの位相を第１ＣＬＫの位相よりも遅らせる。これにより、先行側の信号と後行側の信号の位相のずれを補償する。Ａ／Ｄ１２からのデジタルの信号Ａ＋信号Ｄ、及びＡ／Ｄ１４からのデジタルの信号Ｂ＋信号Ｃはともに加算器１６に供給される。
【００１７】
加算器１６は、２つの信号を加算して、デジタルの信号Ａ＋信号Ｂ＋信号Ｃ＋信号Ｄを生成する。この信号は４分割フォトディテクタの４つのディテクタからの信号の和信号であり、再生信号としてデコーダに供給される。
【００１８】
本実施形態では、Ａ／Ｄ１２及びＡ／Ｄ１４でのサンプリングタイミングを調整することで先行側の信号と後行側の信号の位相差を補償しているので、光ディスク装置や光ディスクの種類などに応じて位相差が種々変化したとしても、第１ＣＬＫと第２ＣＬＫの位相差を適応的に調整することで先行側と後行側の位相差を高精度に補償できる。
【００１９】
第１ＣＬＫと第２ＣＬＫはそれぞれ異なるクロック信号生成器で生成してもよく、単一のクロック信号生成器で生成してもよい。第１ＣＬＫと第２ＣＬＫの位相差は、先行側と後行側の信号の位相差に等しくなるように調整されなければならない。このため、第１ＣＬＫを基準とし、第２ＣＬＫとしてその位相をずらせた種々のクロック信号を生成してＡ／Ｄ１４に供給する。そして、ジッタやエラーレート等の再生信号品質を監視し、最も再生品質の良い位相を有するクロック信号を第２ＣＬＫとして選択する。もちろん、事前に何らかの手段で先行側と後行側の信号の位相差を高精度に検出できる場合には、その位相差情報に基づいて第１ＣＬＫ及び第２ＣＬＫを生成してもよい。
【００２０】
以下、本実施形態における光ディスク装置の構成をより詳細に説明する。
【００２１】
図２に、本実施形態の構成ブロック図を示す。光ディスク５のトラックに形成されたピット６にレーザ光１００を照射し、その反射光を光ピックアップの４分割フォトディテクタ１０ａで検出する。４分割フォトディテクタは４つのディテクタＡ〜Ｄから構成され、ディテクタＡ及びＤは光ディスク５の移動方向（図中矢印方向）の先行側、ディテクタＢ及びＣは移動方向の後行側に配置される。ディテクタＡ及びＤからの信号は加算されてＲＦ１信号としてアンプ１０ｂに供給され、ディテクタＢ及びＣからの信号は加算されてＲＦ２信号としてアンプ１０ｂに供給される。
【００２２】
アンプ１０ｂはゲインＡで両信号を増幅し、ローパスフィルタ（ＬＰＦ）及びイコライザ（ＥＱ）１０ｃ、１０ｄに供給する。
【００２３】
ＬＰＦ／ＥＱ１０ｃ及びＬＰＦ／ＥＱ１０ｄはそれぞれＲＦ１信号、ＲＦ２信号の高周波ノイズを除去し、あるいは特定周波数帯域を若干ブーストしてＡ／Ｄ１２及びＡ／Ｄ１４に供給する。ＬＰＦ／ＥＱ１０ｃ及びＬＰＦ／ＥＱ１０ｄは同特性であることが好適であり、平易なＬＰＦあるいは最高周波数付近で若干のブースト特性を有するものでよい。
【００２４】
Ａ／Ｄ１２及びＡ／Ｄ１４は、それぞれＲＦ１信号及びＲＦ２信号をデジタル信号に変換する。Ａ／Ｄ１２での変換タイミングはクロック信号ＣＬＫ１で決定され、ＣＬＫ１の立ち上がりタイミングでＲＦ１信号をサンプリングしてデジタル信号に変換する。また、Ａ／Ｄ１４での変換タイミングはクロック信号ＣＬＫ２で決定され、ＣＬＫ２の立ち上がりタイミングでＲＦ２信号をサンプリングしてデジタル信号に変換する。ＣＬＫ１及びＣＬＫ２は、位相可変分周器２６で生成されＡ／Ｄ１２及びＡ／Ｄ１４に供給される。ＣＬＫ１及びＣＬＫ２は位相差を有するクロック信号であり、この位相差によりＲＦ１信号とＲＦ２信号の位相差が補償される。Ａ／Ｄ１２及びＡ／Ｄ１４はデジタル信号を加算器１６に供給する。
【００２５】
加算器１６は、２つのデジタル信号を加算して再生信号を得る。再生信号はＡＧＣ（オートゲインコントロール回路）１８でゲイン調整された後、デコーダ２０に供給される。デコーダ２０で復調された信号は再生データとしてパーソナルコンピュータ等のホスト装置に供給されるとともに、ジッタ等のデコードの品質を評価するためにＣＰＵ２４に供給される。デコーダ２０は、ＰＬＬ２２から供給されるクロック信号ＣＬＫ３を用いてデジタル信号（ＲＦ１のデジタル信号＋ＲＦ２のデジタル信号）を復調する。ＰＬＬ２２は、ＡＧＣ１８からの再生信号のゼロクロス点を検出するゼロクロス検出器２２ａ、位相比較器２２ｂ、チャージポンプ２２ｃ、電流電圧変換器（ＩＶ）２２ｄ、電圧制御発振器（ＶＣＯ）２２ｅ及び１／Ｎ分周器２２ｆを有し、ＶＣＯ２２ｅから入力再生信号の位相に同期したクロック信号を出力する。ＶＣＯ２２ｅからのクロック信号はデコーダ２０に供給されるとともに位相可変分周器２６に供給される。
【００２６】
ＣＰＵ２４は、デコーダ２０からのデコード信号のエラーレートなどを計測し、エラーレートを小さくするような制御信号を位相可変分周器２６に供給する。
【００２７】
位相可変分周器２６は、ＰＬＬ２２からのクロック信号を分周して種々の位相差を有するクロック信号を生成する。すなわち、入力クロック信号を分周してＣＬＫ１を生成し、このＣＬＫ１を基準として順次位相の異なる複数のクロック信号を生成する。これら複数のクロック信号がＣＬＫ２の候補となる。ＣＰＵ２４はＣＬＫ２を順次変化させるべく位相可変分周器２６に指令し、ジッタやエラーレートが最小となるクロック信号の位相を探索して最終的にＣＬＫ２の位相を選択する。また、位相可変分周器２６は、加算器１６に加算用クロック信号を供給する。加算用クロック信号もＶＣＯ２２ｅからのクロック信号に基づいて生成されるが、本実施形態ではＣＬＫ２の位相に応じた２通りの信号を生成する。これら２通りの信号により加算器１６での加算タイミングが制御され、ＣＬＫ２をＣＬＫ１に対して遅らせるか進めるかを制御する。
【００２８】
図３に、位相可変分周器２６で生成されるクロック信号を示す。ＣＬＫ１の位相を基準とし、ＣＬＫ１の位相を種々変化させたクロック信号群及び加算用クロック信号群である。「ＶＣＯ」はＰＬＬ２２のＶＣＯ２２ｅから出力される信号である。位相可変分周器２６は、まずＶＣＯ２２ｅからの信号に同期したクロック信号「ＣＬＫ１」を生成する。なお、本実施形態では、ＰＬＬ２２のＶＣＯ２２ｅの発信周波数をチャネルクロック（ＲＦ信号の１Ｔ）の８倍に設定している。この「ＣＬＫ１」はＡ／Ｄ１２に供給される。
【００２９】
次に、この「ＣＬＫ１」を基準とし、位相が異なる複数のクロック信号を生成する。「ＣＬＫ２−ＰＨ−７」は「ＣＬＫ１」に対してＶＣＯ出力信号の１クロック周期分だけ位相が遅れた信号であり、「ＣＬＫ２−ＰＨ−６」は「ＣＬＫ１」に対してＶＣＯ出力信号の２クロック分、つまり「ＣＬＫ２−ＰＨ−７」に対して１クロック周期分だけ位相が遅れた信号であり、「ＣＬＫ２−ＰＨ−５」は「ＣＬＫ１」に対して３クロック周期分だけ位相が遅れた信号であり、「ＣＬＫ２−ＰＨ−４」は「ＣＬＫ１」に対して４クロック周期分だけ位相が遅れた信号であり、「ＣＬＫ２−ＰＨ−３」は「ＣＬＫ１」に対して５クロック周期分だけ位相が遅れた信号であり、「ＣＬＫ２−ＰＨ−２」は「ＣＬＫ１」に対して６クロック周期分だけ位相が遅れた信号であり、「ＣＬＫ２−ＰＨ−１」は「ＣＬＫ１」に対して７クロック周期分だけ遅延した信号信号であり、「ＣＬＫ２−ＰＨ０」は「ＣＬＫ１」に対して８クロック周期分だけ遅延した信号で「ＣＬＫ１」と同位相の信号である。また、「ＣＬＫ２−ＰＨ１」は「ＣＬＫ２−ＰＨ−７」と同位相の信号であり、以下、同様にして「ＣＬＫ２−ＰＨ２」は「ＣＬＫ２−ＰＨ−６」と同位相、「ＣＬＫ２−ＰＨ３」は「ＣＬＫ２−ＰＨ−５」と同位相、「ＣＬＫ２−ＰＨ４」は「ＣＬＫ２−ＰＨ−４」と同位相、「ＣＬＫ２−ＰＨ５」は「ＣＬＫ２−ＰＨ−３」と同位相、「ＣＬＫ２−ＰＨ６」は「ＣＬＫ２−ＰＨ−２」と同位相、「ＣＬＫ２−ＰＨ７」は「ＣＬＫ２−ＰＨ−１」と同位相である。以上のように、位相可変分周器２６は「ＣＬＫ２−ＰＨ−７」〜「ＣＬＫ２−ＰＨ７」の１５通りのクロック信号を生成する。位相可変分周器２６は、ＣＰＵ２４からの指令に基づいてこれら１５通りのクロック信号のいずれかをＣＬＫ２としてＡ／Ｄ１４に供給する。例えば、位相可変分周器２６は、１５通りのクロック信号を順次Ａ／Ｄ１４に供給する。ＣＰＵ２４は、各クロック信号におけるエラーレートを監視し、最もエラーレートが少なくなるクロック信号を選択する。
【００３０】
ここで、例えば「ＣＬＫ２−ＰＨ−４」と「ＣＬＫ２−ＰＨ４」とは同位相であり、ＲＦ２信号に対してＡ／Ｄ１４では同一のタイミングでサンプリングが行われることになるが、これら同位相のクロック信号により、加算器１６での加算タイミングとの関係においてＲＦ１信号に対してＲＦ２信号の位相を遅らせる場合とＲＦ２信号の位相を早める場合のいずれもカバーすることができる。
【００３１】
すなわち、ＣＬＫ２−ＰＨ−４とＣＬＫ２ーＰＨ４とを例示すると、ＣＬＫ２−ＰＨ−４をＣＬＫ２としてＡ／Ｄ１４に供給した場合、タイミングＴ１にてＲＦ２信号をＡ／Ｄ１４でデジタル信号に変換し、タイミングＴ０にてＲＦ１信号をＡ／Ｄ１２でデジタル信号に変換し、加算器１６はＶＣＯ出力信号に同期した加算用ＣＬＫ１に基づきタイミングＴ３で加算することになり、これはＲＦ１信号の位相をＲＦ２信号に対して４／８Ｔだけ遅延させた、つまりＲＦ２信号の位相をＲＦ１信号に対して４／８Ｔだけ進めたことに相当する。一方、ＣＬＫ２−ＰＨ４をＣＬＫ２としてＡ／Ｄ１４に供給した場合、タイミングＴ０にてＲＦ１信号をＡ／Ｄ１２でデジタル信号に変換し、タイミングＴ２にてＲＦ２信号をＡ／Ｄ１４でデジタル信号に変換し、加算器１６は加算用ＣＬＫ２に基づくタイミングＴ４で加算することになり、これはＲＦ２信号の位相をＲＦ１信号に対して４／８Ｔだけ遅延させたことに相当する。なお、位相可変分周器２６は、ＣＬＫ２−ＰＨ−７〜ＣＬＫ２−ＰＨ−１の場合には加算用ＣＬＫ１を加算器１６に供給し、ＣＬＫ２−ＰＨ０〜ＣＬＫ２−ＰＨ７の場合には加算用ＣＬＫ２を加算器１６に供給する。また、加算用ＣＬＫ２は加算用ＣＬＫ１を４クロック周期分だけ遅延させて生成される。以上より、ＲＦ２信号がＲＦ１信号に対してどのような位相差（位相が遅れている場合だけでなく位相が進んでいる場合も含めて）にも対応してＲＦ１信号とＲＦ２信号の位相差を補償することができる。
【００３２】
ここで、一般的に、光ディスクがＣＤ／ＤＶＤ−Ｒの場合には位相ずれはほとんどなく、ＣＤ／ＤＶＤ−ＲＯＭでは後行側信号の位相が遅れ、ＣＤ／ＤＶＤ−ＲＷでは後行側信号の位相が進む傾向にあるため、光ディスクの種類がＲ系ではＣＬＫ２の調整は行わず、ＲＯＭ系ではＣＬＫ２の位相を進める調整のみを行い、ＲＷ系ではＣＬＫ２の位相を遅らせる調整のみを行うこともできる。これにより、調整時間の短縮を図ることができる。
【００３３】
具体的な処理アルゴリズムは以下のとおりである。まず、光ディスクが光ディスク装置に装着されると、データ再生に先立ち、光ディスクの部位のうちＲＦデータが既に存在する部位に光ピックアップをシークさせてデータを再生し、ＲＦ１信号及びＲＦ２信号を取得する。そして、位相ＣＰＵ２４及び位相可変分周器２６によりＣＬＫ２の位相及び加算器２６での加算タイミングを変化させる。ＣＬＫ２の位相は１５通り、加算用ＣＬＫは２通りであり、ＣＬＫ２の位相が決定されれば加算用ＣＬＫの位相もこれに応じて決定される。それぞれのＣＬＫ２において、ＣＰＵ２４は加算器２６から出力された再生信号のジッタやデコーダ２０で復調された信号のエラーレート、ＰＲＭＬ処理を行うのであればＰＲＳＮＲやＳｂＥＲ等の再生信号評価を行い、最も品質のよいＣＬＫ２の位相を選択する。以上の処理によりＣＬＫ２が最適化された後に、光ディスクからデータを再生する。
【００３４】
あるいは、光ディスク装置の製造工程において、種々の光ディスク及び種々の回転速度に対して上記のアルゴリズムにて再生信号品質の評価を行い、最適なＣＬＫ２の位相及び加算タイミングを学習して光ディスク装置内の不揮発性メモリ３０に格納しておいてもよい。光ディスクが装着されると、ＣＰＵ２４はその光ディスクの種類をリードインエリアに記録されたディスク情報から読み取り、かつ、再生速度に応じたＣＬＫ２の位相及び加算タイミングを不揮発性メモリ３０から読み出して設定する。不揮発性メモリ３０に記憶されるＣＬＫ２の位相は、光ディスクの種類及び再生速度毎の２次元マップとして規定されるが、簡易的に光ディスクの種類毎の１次元マップとしてもよい。この場合、ＣＰＵ２４は再生速度によらず光ディスクの種類毎にＣＬＫ２の位相を調整することになる。但し、上記のようにＲＦ１信号とＲＦ２信号の位相差は光ディスクの種類の他、再生速度に応じても変化し得るため、再生速度も考慮して位相差を調整するのが好適である。
【００３５】
以上、本発明の実施形態について説明したが、本発明はこれに限らず他の形態が可能である。例えば、本実施形態ではＰＬＬ２２のＶＣＯ出力をチャネルクロックの８倍としているが、より高倍とすることで位相差調整精度を向上させることができる。
【００３６】
また、本実施形態では４分割フォトディテクタ１０ａとしているが、ピット進行方向に対して先後方向に２分割以上に分割されていればよく、４分割ではなく２分割、あるいは６分割でもよい。
【図面の簡単な説明】
【００３７】
【図１】実施形態の概念構成図である。
【図２】実施形態の構成ブロック図である。
【図３】ＣＬＫ２及び加算用ＣＬＫの位相を示すタイミングチャートである。
【図４】従来の再生ＲＦ信号の生成説明図である。
【図５】先行側信号と後行側信号の位相差説明図である。
【符号の説明】
【００３８】
５  光ディスク、６  ピット、１０  光ピックアップ、１０ａ  ４分割フォトディテクタ、１２、１４  Ａ／Ｄ、１６  加算器、２０  デコーダ、２２  ＰＬＬ（フェーズロックドループ）、２４  ＣＰＵ、２６  位相可変分周器。
【図１】
2007122776.tif 000003
【図２】
2007122776.tif 000004
【図３】
2007122776.tif 000005
【図４】
2007122776.tif 000006
【図５】
2007122776.tif 000007